(57)【要約】【課題】通知片を内封した封書から冊子を取り出した後、再度通知片と封書を一体化することを課題とする。【解決手段】  封書１が相手側から送付されてきた後、切取ミシン３１を使用して切取枠４１を封書１から切除し、保存部４２を形成する。その後、保存部４２を見開き、冊子２を取り出す。冊子が取り出された後、再度、冊子２と保存部４２を一体化させたい場合、冊子２の切り起こし部２２を折り返して引き出し、保存部４２に形成されている切込部３４に挿入する。  最後に、保存部４２を折り畳み、所定の本棚等に保管する。【選択図】図１
2014055022.tif 000002
【特許請求の範囲】
【請求項１】
封書上紙片と封書下紙片とが折り部を境に連接されてなり、前記折り部より折り畳まれ、前記折り部を除く三周辺側に設けられた封着部が封着されてなる封書において、
前記封書の折り部または折り部近傍に切込部が設けられ、前記封書内に通知片が封入されてなり、前記通知片の所定辺に切り起こし部が形成されてなることを特徴とする封書
【発明の詳細な説明】
【技術分野】
【０００１】
本発明は、通知片を分離可能に内封している封書に関する。
【背景技術】
【０００２】
従来より、冊子等の内容物を封書等に収納または分離可能に一体的に形成して配布や送付をすることが行われている。（例えば、特許文献１参照。）
【０００３】
従来の封書は、封書を開封後に内容物である冊子を分離して取り出した後、封書は破棄し、冊子のみを保管しておくことが行われている。
【先行技術文献】
【特許文献】
【０００４】
【特許文献１】特開平８−２３０３６３号公報
【発明の概要】
【発明が解決しようとする課題】
【０００５】
しかしながら、上述したような通知片である冊子を内封する封書では、封書部の方にも重要な情報が記されていた場合、封書部の方も冊子と合わせて保管しておく必要が生じるが、一旦封書から分離した冊子を、見開いた封書に挟んで本棚等の収納棚に収納しておくと、封書は厚みが薄い為その位置がわからなくなったり、本棚から封書を取り出した場合に、挟んである冊子が気づかない内に収納棚に落下して紛失してしまうことになる。
【０００６】
本発明は、上述したような従来の技術が有する問題点に鑑みてなされたものであって、封書を開封して通知片を取り出した後に、封書と通知片を再度一体化して通知片を紛失することなく保管することができる封書を提供することを目的とする。
【課題を解決するための手段】
【０００７】
上記目的を達成するために本発明は、
封書上紙片と封書下紙片とが折り部を境に連接されてなり、折り部より折り畳まれ、折り部を除く三周辺側に設けられた封着部が封着されてなる封書において、
封書の折り部または折り部近傍に切込部が設けられ、封書内に通知片が封入されてなり、通知片の所定辺に切り起こし部が形成されている。
【０００８】
上記のように構成された本発明においては、封書から通知片を取り出した後、通知片の本体から切り起こし部を折返して封書側の切込部に挿入可能に設ける構成となっている為、封書から通知片を取り出した後、通知片が落下しないように、接着剤等を用いないで再度、封書と通知片を再度一体化することができる。
【発明の効果】
【０００９】
以上、説明したように本発明においては、封書から通知片を取り出した後、通知片の本体から切り起こし部を折返して封書側の切込部に挿入可能に設ける構成となっている為、封書から通知片を取り出した後、冊子が落下しないように、接着剤等を用いずに再度、封書と通知片を一体化することができる。
また、切り起こし部に情報を印刷または記入すれば見出し部として機能させることができ、
封書と通知片を一体化して通知片が封書と分離しないようにするとともに、薄い封書を本棚等に収納した際に容易に判別して取り出すことが可能となる。
【図面の簡単な説明】
【００１０】
【図１】本発明の封書の実施の一形態を示す図であり、(a)は見開きの内側から見た正面図、(b)は(a)に示した封書が折り畳まれた状態を示す形態である。
【００１１】
【図２】図１に示した本発明の封書を構成する一部品となる通知片である冊子を示す図であり、（a）は外側から見た見開き図、(b)は内側から見た見開き図、(c)は中央で折り畳んで冊子状にした状態を示す正面図、(d)は(c)に示した切り起こし部２２を折り返した状態を示す正面図である。
【００１２】
【図３】図１に示した本発明の封書を構成する一部品である封書上紙片３６と下紙片３７からなる収納片３を示す図であり、(a)は外側から見た見開き図、(b)は内側から見た見開き図である。
【００１３】
【図４】本発明の封書の使い方を示す使用図である。(a)は図１の封書を開封している開封図、(b)は(a)で開封した封書を再度一体化した図である。
【発明を実施するための形態】
【００１４】
以下に、本発明の実施の形態について図面を参照して説明する。
【００１５】
図１は本発明の封書の実施の一形態を示す図であり、(a)は見開きの内側から見た正面図、(b)は(a)に示した封書が折り畳まれた状態を示す形態である。
【００１６】
本形態は、図１に示すように、本発明の請求項記載の通知片である冊子２と、請求項記載の封書上紙片と下紙片からなる収納片３により本発明の封書である封書１が構成される。
(b)は、冊子２を収納片３に挿入した状態をわかり易くする為に右上部を見開いた状態で記載してあるが、実際に相手側に伝達する場合は、周囲の接着部を全て接着した状態となる。
冊子２はスポット塗布された接着剤により分離可能に収納片３の内側面に接着される。
【００１７】
以下に、上記のように構成された封書１の構成部品である冊子２について説明する。
【００１８】
図２は、図１に示した冊子２の構成を説明するための図である。
【００１９】
（a）は冊子２を外側から見た見開き図であり、(b)は冊子２の左から1ページ目を見開き、内側から見た見開き図である。また、(c)は中央で折り畳んで冊子状にした状態を示す正面図である。
(b)に示されるように、冊子２の内側面には広告情報２３が掲載されている。そして、冊子２の1ページ目折部２４近傍には切込みである分離線部２１１、分離線部２１２、分離線部２１３からなる分離線２１が形成され、(d)に示されるように、この分離線２１とめくり起点線部２５に囲まれて冊子２の本体から折返される領域が切り起こし部２２となる。
【００２０】
以下に、封書１の構成部品である収納片３について説明する。
【００２１】
図３は、図１に示した収納片３の構成を説明するための図である。
(a)は収納片３を外側から見た見開き図であり、(b)は内側から見た見開き図である。
【００２２】
収納片３の内側の内封面には、冊子２に記載された広告情報に関連する付属情報や特に顧客に主張したい一押し情報を抜粋した広告情報３５が設けられている。
そして、収納片３の４つの外周辺近傍には、上辺ミシン３１１、横辺ミシン３１２、下片ミシン３１３で構成される切取ミシン３１が形成され、その切取ミシンの外側領域には接着剤が設けられた接着部３３が設けられている。
また、収納片３の中心となる上紙片３６と下紙片３７の接続線である折り線３２上には、上述した冊子２の切り起こし部２２を挿入する為の切込部３４が設けられている。
そして、見開き状態の収納片３に冊子２を内側面に搭載した状態で、折り線３２により折り畳み、収納片３の上紙片３６と下紙片３７の接着部３３どうしを互いに接着させて図１(b)に記す封書１が完成する。
【００２３】
以下に、封書１の使用方法について説明する。
【００２４】
図４は本発明の封書の使い方を示す使用図である。
まず、図１(b)に示した封書１が相手側から送付されてきた後、切取ミシン３１を使用して切取枠４１を封書１から切除し、収納片３の一部となる保存部４２を形成する。
その後、保存部４２を図４(a)のように見開き、冊子２を取り出す。冊子が取り出された後、再度、冊子２と保存部４２を一体化させたい場合、冊子２の切り起こし部２２を反対側へ折り返して切り起こし、保存部４２に形成されている切込部３４に挿入する。
最後に、図４(b)のように保存部４２を折り畳み、所定の本棚等に保管する。
【００２５】
以上、説明したように、収納片３から冊子２を取り出した後、冊子２の本体から切り起こし部２２を折返して収納片３側の切込部３４に挿入可能に設ける構成となっている為、収納片３から冊子２を取り出した後、冊子２が落下しないように、接着剤等を用いずに再度、収納片３と冊子２を一体化することができる。
また、切り起こし部２２に情報を印刷または記入すれば見出し部として機能させることができ、
収納片３と冊子２を一体化して冊子２が収納片３と分離しないようにするとともに、薄い封書１を本棚等に収納した際に容易に判別して取り出すことが可能となる。
【００２６】
なお、上述した実施形態においては、折り畳んだ収納片３の折り部を除く三周辺を切取ミシン３１で分離できる例を示したが、本発明は実施の形態の形状に限らず、収納片３の内側を見ることができるとともに通知片である冊子２を分離できる構造であればいかなる構成でもかまわない。
【００２７】
また、上述した実施形態においては、通知片として冊子２の例を示したが、通知片は冊子形状をとらず単片であってもかまわない。
【００２８】
また、上述した実施形態においては、切り起こし部２２の形状が、冊子２の本体部との接続部であるめくり起点線部２５より広がっていく台形形状となっていて収納片３から冊子２が落ちにくいようにしてあるが、冊子２と収納片３が再度一体化できればよく、形状は、長方形でも扇形状でもいかなる形状でもかまわない。
【００２９】
また、切り起こし部２２は、折部２４上にあるめくり起点線部２５で切り起こして折り返しているが、切り起こし部２２は折り返して収納片３の切込部３４に挿入できればよく、めくり起点線部２５が折部２４上ではなく、折部２４の近傍にあってもかまわない。
【００３０】
また、切り起こし部２２は、折部やその近傍ではなく、通知片のいずれかの辺の近傍あたりに形成されていて、切り起こした際に、収納部３の切込部３４に挿入できればよい。
【００３１】
また、上述した実施形態においては、収納片３の周囲を接着部３３にて接着し、開封する際に切取枠４１を分離する形を示したが、収納片３を折り線３２を起点として広げられるように開封できるのであれば、切取ミシン３１が設けられていなく、接着部３３の接着剤が剥離可能に接着された感圧接着剤等であって、収納片３を端部から開封できる形であってもかまわない。
【００３２】
更に、上述した実施形態においては、切込部３４が形成する穴は、折り線３２とは法線方向に多少の厚みを持っているように記載されているが、切り起こし部２２が挿入可能であればよく、厚みを持たないスリットであってもよい。また、最初から切断されていなく、ミシン目等が形成されていて自分で切り離して切込みを形成するものであっても構わない。
【符号の説明】
【００３３】
１      封書
２      冊子
２１    分離線
２１１  分離線部１
２１２  分離線部２
２１３  分離線部３
２２    切り起こし部
２３    広告情報
２４    折部
２５    めくり起点線部
３      収納片
３１    切取ミシン
３１１  上辺ミシン
３１２  横辺ミシン
３１３  下辺ミシン
３２    折り線
３３    接着部
３４    切込部
３５    広告情報
３６    上紙片
３７    下紙片
４１    切取枠
４２    保存部
【図１】
2014055022.tif 000003
【図２】
2014055022.tif 000004
【図３】
2014055022.tif 000005
【図４】
2014055022.tif 000006